【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】  不混和性熱増幅添加剤とポリマー分散剤との水性分散物から調製される熱画像形成層を含む供与体要素であって、前記熱増幅添加剤が、
（ａ）３−Ｈ−インドリウム，２−［２−［２−クロロ−３−ジヒドロ−１，３，３−トリメチル−２Ｈ−インドール−２−イリデン）−エチリデン］−１−シクロペンテン−１−イル］エチエニル］−１，３，３−トリメチル−のトリフルオロメタンスルホン酸塩（１：１）、
（ｂ）３Ｈ−インドリウム，２−［２−［３−［（１，３−ジヒドロ−１，３，３−トリメチル−２Ｈ−インドール−２−イリデン）エチリデン］−２−（２−ピリミジニルチオ）−１−シクロペンテン−１−イル］エテニル］−１，３，３−トリメチル−のトリフルオロメタンスルホン酸塩（１：１）、
（ｃ）２−（２−（２−クロロ−３−（２−（１，３−ジヒドロ−１，１−ジメチル−３−（４−スルホブチル）−２Ｈ−ベンズ［ｅ］インドール−２−イリデン）エチリデン）−１−シクロヘキセン−１−イル）エテニル）−１，１−ジメチル−３−（４−スルホブチル）−１Ｈ−ベンズ［ｅ］インドリウムの分子内塩、遊離酸、および
（ｄ）チオピリリウム，４−（（３−（（２，６−ビス（１，１−ジメチルエチル）−４Ｈ−チオピラン−４−イリデン）メチル）−２−ヒドロキシ−４−オキソ−２−シクロブテン−１−イリデン）メチル）−２，６−ビス（１，１−ジメチルエチル）−の分子内塩、
からなる群から選択されるＩＲ吸収化合物を含むことを特徴とする供与体要素。
【請求項２】  （１）（Ａ）不混和性熱増幅添加剤と分散剤とを含有する水性分散物から作製される熱画像形成層を含む供与体要素であって、前記熱増幅添加剤が、
（ａ）３−Ｈ−インドリウム，２−［２−［２−クロロ−３−ジヒドロ−１，３，３−トリメチル−２Ｈ−インドール−２−イリデン）−エチリデン］−１−シクロペンテン−１−イル］エチエニル］−１，３，３−トリメチル−のトリフルオロメタンスルホン酸塩（１：１）、
（ｂ）３Ｈ−インドリウム，２−［２−［３−［（１，３−ジヒドロ−１，３，３−トリメチル−２Ｈ−インドール−２−イリデン）エチリデン］−２−（２−ピリミジニルチオ）−１−シクロペンテン−１−イル］エテニル］−１，３，３−トリメチル−のトリフルオロメタンスルホン酸塩（１：１）、
（ｃ）２−（２−（２−クロロ−３−（２−（１，３−ジヒドロ−１，１−ジメチル−３−（４−スルホブチル）−２Ｈ−ベンズ［ｅ］インドール−２−イリデン）エチリデン）−１−シクロヘキセン−１−イル）エテニル）−１，１−ジメチル−３−（４−スルホブチル）−１Ｈ−ベンズ［ｅ］インドリウムの分子内塩、遊離酸、および
（ｄ）チオピリリウム，４−（（３−（（２，６−ビス（１，１−ジメチルエチル）−４Ｈ−チオピラン−４−イリデン）メチル）−２−ヒドロキシ−４−オキソ−２−シクロブテン−１−イリデン）メチル）−２，６−ビス（１，１−ジメチルエチル）−の分子内塩、
からなる群から選択されるＩＲ吸収化合物である供与体要素と、
（Ｂ）前記供与体要素の熱画像形成層と接触した受容体要素であって、
（ａ）画像受像層、および
（ｂ）受容体支持材
を含む前記受容体要素と、
を含むレーザ加工可能な組み合わせ部材をレーザ放射に像様露光させ、それによって、熱画像形成層の露光部分を受容体要素に転写して画像受像層の表面に像を形成する工程、
（２）前記供与体要素（Ａ）を前記受容体要素（Ｂ）から分離し、それによって、前記受容体要素の画像受像層の表面に像を現出させる工程、
（３）前記受容体要素の画像受像層表面に現出した像と前記永久基材とを、前記像が前記永久基材と接触するようにして接触させる工程、および
（４）前記受容体支持材を前記画像受像層から分離し、前記像と前記画像受像層とを前記永久基材に移行させる工程
を含むことを特徴とする像を作製するための方法。
【請求項３】  請求項１に記載の熱画像形成層を含む供与体要素の像様露光によって付着される網点熱画像を有する外面を有する画像受像層と、第１の表面および第２の表面、前記第１の表面上の画像受像層の外面ならびに前記第２の表面上の最終受容体を有する画像固定化層とを含み、これによって前記画像を前記画像受像層と前記画像固定化層との間に包み込むことを特徴とする印刷プルーフ。
【請求項４】  顔料着色剤を供与体要素から基材に熱物質転写して少なくとも一色のパターンを基材上に形成し、そして次に液晶表示装置と前記パターンとを関連させることを含み、供与体要素が、請求項１に記載の熱画像形成層を含むことを特徴とする基材上にカラーフィルタ要素を作製するための方法。
【手続補正２】
【補正対象書類名】明細書
【補正対象項目名】０１２２
【補正方法】変更
【補正の内容】
【０１２２】
その後、固定化要素を画像受容体要素表面の多色画像と接触させ、典型的には最後の着色画像が画像固定化層と接触した状態でこれに積層する。続いて上述したようにこのプロセスを完了する。
以下に、本発明の好ましい態様を示す。
［１］  不混和性熱増幅添加剤とポリマー分散剤との水性分散物を含む熱画像形成層を含むことを特徴とする供与体要素。
［２］  前記熱増幅添加剤が水不溶性であることを特徴とする［１］に記載の供与体要素。
［３］  前記分散剤が、アルキルアクリレート、アルキルメタクリレート、アクリル酸、メタクリル酸またはスチレンであるモノマーを含み、前記アルキル基が約１から６個の炭素原子を含有することを特徴とする［１］に記載の供与体要素。
［４］  前記分散剤が、（ａ）複数のアクリルポリマーアーム付きアクリルポリマーを含む主鎖を有し、前記主鎖が１または複数のアクリレートとアクリル酸とのコポリマーであり、少なくとも１つのアームがアクリレートとアクリル酸とのコポリマーである、グラフトポリマー、（ｂ）スチレンとメタクリレートとのコポリマー、または（ｃ）メチルメタクリレートとｎ−ブチルメタクリレートとのコポリマーであることを特徴とする［１］に記載の供与体要素。
［５］  前記熱増幅添加剤が、
（ａ）３−Ｈ−インドリウム，２−［２−［２−クロロ−３−ジヒドロ−１，３，３−トリメチル−２Ｈ−インドール−２−イリデン）エチリデン］−１−シクロペンテン−１−イル］エチエニル］−１，３，３−トリメチル−のトリフルオロメタンスルホン酸塩（１：１）、
（ｂ）３Ｈ−インドリウム，２−［２−［３−［（１，３−ジヒドロ−１，３，３−トリメチル−２Ｈ−インドール−２−イリデン）エチリデン］−２−（２−ピリミジニルチオ）−１−シクロペンテン−１−イル］エテニル］−１，３，３−トリメチル−のトリフルオロメタンスルホン酸塩（１：１）、
（ｃ）２−（２−（２−クロロ−３−（２−（１，３−ジヒドロ−１，１−ジメチル−３−（４−スルホブチル）−２Ｈ−ベンズ［ｅ］インドール−２−イリデン）エチリデン）−１−シクロヘキセン−１−イル）エテニル）−１，１−ジメチル−３−（４−スルホブチル）−１Ｈ−ベンズ［ｅ］インドリウムの分子内塩、遊離酸、または
（ｄ）チオピリリウム，４−（（３−（（２，６−ビス（１，１−ジメチルエチル）−４Ｈ−チオピラン−４−イリデン）メチル）−２−ヒドロキシ−４−オキソ−２−シクロブテン−１−イリデン）メチル）−２，６−ビス（１，１−ジメチルエチル）−の分子内塩、
であるＩＲ吸収化合物を含むことを特徴とする［２］に記載の供与体要素。
［６］  前記熱画像形成層が架橋性ポリマーをさらに含むことを特徴とする［１］に記載の供与体要素。
［７］  カラーフィルタ用であることを特徴とする［１］に記載の供与体要素。
［８］  （１）（Ａ）不混和性熱増幅添加剤と分散剤とを含有する水性分散物から作製される熱画像形成層を含む供与体要素と、
（Ｂ）前記供与体要素の熱画像形成層と接触した受容体要素であって、
（ａ）画像受像層、および
（ｂ）受容体支持材
を含む前記受容体要素と、
を含むレーザ加工可能な組み合わせ部材をレーザ放射に像様露光させ、それによって、熱画像形成層の露光部分を受容体要素に転写して画像受像層の表面に像を形成する工程、
（２）前記供与体要素（Ａ）を前記受容体要素（Ｂ）から分離し、それによって、前記受容体要素の画像受像層の表面に像を現出させる工程、
（３）前記受容体要素の画像受像層表面に現出した像と前記永久基材とを、前記像が前記永久基材と接触するようにして接触させる工程、および
（４）前記受容体支持材を前記画像受像層から分離し、前記像と前記画像受像層とを前記永久基材に移行させる工程
を含むことを特徴とする像を作製するための方法。
［９］  （３）前記受容体要素の画像受像層の像と、
（ｃ）剥離面を有する支持材、および
（ｄ）画像固定化層、
を含む画像固定化要素とを接触させ、前記接触中に像と画像固定化層とを隣接させ、それによって、前記像を画像固定化層と受容要素の画像受像層との間に包み込む工程、
（４）前記受容体要素の支持材を除去し、前記画像固定化層を現出させる工程、および
（５）工程（４）で現出させた前記画像固定化層と永久基材とを接触させる工程
をさらに含むことを特徴とする［８］に記載の方法。
［１０］  前記着色剤が顔料を含むことを特徴とする［８］に記載の方法。
［１１］  前記熱増幅添加剤が水不溶性であることを特徴とする［８］に記載の方法。
［１２］  前記熱増幅添加剤が、ポリ（置換）フタロシアニン化合物および金属含有フタロシアニン化合物と、シアニン染料と、スクアリリウム染料と、カルコゲノピリイオアクリリデン染料と、クロコニウム染料と、金属チオラート染料と、ビス（カルコゲノピリロ）ポリメチン染料と、オキシインドリジン染料と、ビス（アミノアリール）ポリメチン染料と、メロシアニン染料と、キノイド染料と、これらの混合物と、からなる群から選択されるＩＲ吸収化合物であることを特徴とする［８］に記載の方法。
［１３］  前記熱増幅添加剤が、
（ａ）３−Ｈ−インドリウム，２−［２−［２−クロロ−３−ジヒドロ−１，３，３−トリメチル−２Ｈ−インドール−２−イリデン）エチリデン］−１−シクロペンテン−１−イル］エチエニル］−１，３，３−トリメチル−のトリフルオロメタンスルホン酸塩（１：１）、
（ｂ）３Ｈ−インドリウム，２−［２−［３−［（１，３−ジヒドロ−１，３，３−トリメチル−２Ｈ−インドール−２−イリデン）エチリデン］−２−（２−ピリミジニルチオ）−１−シクロペンテン−１−イル］エテニル］−１，３，３−トリメチル−のトリフルオロメタンスルホン酸塩（１：１）、
（ｃ）２−（２−（２−クロロ−３−（２−（１，３−ジヒドロ−１，１−ジメチル−３−（４−スルホブチル）−２Ｈ−ベンズ［ｅ］インドール−２−イリデン）エチリデン）−１−シクロヘキセン−１−イル）エテニル）−１，１−ジメチル−３−（４−スルホブチル）−１Ｈ−ベンズ［ｅ］インドリウムの分子内塩、遊離酸、または
（ｄ）チオピリリウム，４−（（３−（（２，６−ビス（１，１−ジメチルエチル）−４Ｈ−チオピラン−４−イリデン）メチル）−２−ヒドロキシ−４−オキソ−２−シクロブテン−１−イリデン）メチル）−２，６−ビス（１，１−ジメチルエチル）−の分子内塩
であるＩＲ吸収化合物であることを特徴とする［８］に記載の方法。
［１４］  前記熱画像形成層および前記画像受像層が、架橋性ポリマーをさらに含むことを特徴とする［８］に記載の方法。
［１５］  不混和性熱増幅添加剤と分散剤とを含む水性分散物を含む熱画像形成層を含む供与体要素の像様露光によって付着される網点熱画像を有する外面を有する画像受像層と、第１の表面および第２の表面、前記第１の表面上の画像受像層の外面ならびに前記第２の表面上の最終受容体を有する画像固定化層とを含み、これによって前記画像を前記画像受像層と前記画像固定化層との間に包み込むことを特徴とする印刷プルーフ。
［１６］  前記熱画像形成層が、顔料をさらに含むことを特徴とする［１５］に記載の印刷プルーフ。
［１７］  前記不混和性熱増幅添加剤が水不溶性ＩＲ吸収剤であることを特徴とする［１５］に記載の印刷プルーフ。
［１８］  前記分散剤が、アルキルアクリレート、アルキルメタクリレート、アクリル酸、メタクリル酸またはスチレンであるモノマーを含み、アルキル基が約１から６個の炭素原子を含有することを特徴とする［１５］に記載の印刷プルーフ。
［１９］  前記分散剤が、
（ａ）複数のアクリルポリマーアーム付きアクリルポリマーを含む主鎖を有し、この主鎖が１または複数のアクリレートとアクリル酸とのコポリマーであり、少なくとも１つのアームがアクリレートとアクリル酸とのコポリマーである、グラフトポリマー、
（ｂ）スチレンとメタクリレートとのコポリマー、または
（ｃ）メチルメタクリレートとｎ−ブチルメタクリレートとのコポリマー
であることを特徴とする［１５］に記載の印刷プルーフ。
［２０］  前記水性分散物がマスターバッチ法によって製造されるか、または前記水性分散物が１バッチ法で製造されることを特徴とする［１］に記載の供与体要素。
［２１］  顔料着色剤を供与体要素から基材に熱物質転写して少なくとも一色のパターンを基材上に形成し、そして次に液晶表示装置と前記パターンとを関連させ、前記液晶表示装置内で液晶を電子的にアドレスした際に、少なくとも一色のパターンの少なくとも一部が可視化されるようにすることを含み、供与体要素が、顔料着色剤、不混和性化合物およびポリマー分散剤を含む水性分散物を含む熱画像形成層を含み、前記不混和性化合物が熱増幅添加剤であることを特徴とする基材上にカラーフィルタ要素を作製するための方法。